(57)【要約】【課題】扉体操作の左右勝手と扉体の開放方向の組合せが異なっても、また、錠装置のタイプが異なっても、可及的に部材の共通化を図ることができ、吊り元支柱、当たり支柱及び扉体の全体的外観に調和感を備えることができる片開き門扉を提供する。【解決手段】吊り元支柱に扉体の一端側を回動自在に支持し、扉体の他端側を戸当たり支柱に当接して通路を閉鎖するとともに、扉体に取り付けられたラッチにより鎖錠し、操作ノブ又はハンドルを回して解錠して扉体を開けるように構成されている片開き門扉において、戸当たり支柱の敷地内側面に、扉体の高さとほぼ等しい高さを有する戸当たりアタッチメントを取り付け、その戸当たりアタッチメントは、扉体側の面に戸当たり材取付部を有し、その戸当たり材取付部の敷地外側部分に外開き門扉用の戸当たり面を有し、戸当たり支柱と反対側に錠受け部材取付部を有し、扉体の戸先側端部に戸当たり材取付部を設けた。【選択図】図２
2010248821.tif 000002
【特許請求の範囲】
【請求項１】
吊り元支柱に扉体の一端側を回動自在に支持し、扉体の他端側を戸当たり支柱に当接して通路を閉鎖するとともに、扉体の操作ノブ又はハンドルを回して解錠して扉体を開けるように構成されている片開き門扉において、
戸当たり支柱の敷地内側面に戸当たりアタッチメントを取り付けたこと、
その戸当たりアタッチメントは、扉体側の面に戸当たり材取付部を、その戸当たり材取付部の敷地外側部分に外開き門扉用の戸当たり面を、前記戸当たりアタッチメントの戸当たり支柱と反対側に錠受け部材取付部をそれぞれ有すること、
前記扉体の戸先側端部に戸当たり材取付部を設けたこと、
を特徴とする片開き門扉。
【請求項２】
戸当たりアタッチメントの錠受け部材取付部は、錠受け部材を高さ調整自在に取付けるための上下方向に連続する溝を有することを特徴とする請求項１に記載の片開き門扉。
【請求項３】
吊り元支柱に扉体の一端側を回動自在に支持し、扉体の他端側を戸当たり支柱に当接して通路を閉鎖するとともに、扉体の操作ノブ又はハンドルを回して解錠して扉体を開けるように構成されている片開き門扉において、
戸当たり支柱の敷地内側面に戸当たりアタッチメントを取り付けたこと、
その戸当たりアタッチメントは、扉体側の面に戸当たり材取付部を、その戸当たり材取付部の敷地外側部分に外開き門扉用の戸当たり面を、前記戸当たりアタッチメントの戸当たり支柱と反対側の面と前記外開き門扉用の戸当たり面との間に前記戸当たり材取付部を貫通して前記扉体側の面に開口可能な錠受け部材取付空間をそれぞれ有すること、
前記扉体の戸先側端部に戸当たり材取付部を設けたこと、
を特徴とする片開き門扉。
【請求項４】
吊り元支柱に扉体の一端側を回動自在に支持し、扉体の他端側を戸当たり支柱に当接して通路を閉鎖するとともに、扉体の操作ノブ又はハンドルを回して解錠して扉体を開けるように構成されている片開き門扉において、
戸当たり支柱の敷地内側面に戸当たりアタッチメントを取り付けたこと、
その戸当たりアタッチメントは、扉体側の面に戸当たり材取付部を、その戸当たり材取付部の敷地外側部分に外開き門扉用の戸当たり面を、前記戸当たりアタッチメントの戸当たり支柱と反対側に錠受け部材取付部を、前記戸当たりアタッチメントの戸当たり支柱と反対側の面と前記外開き門扉用の戸当たり面との間に前記戸当たり材取付部を貫通して前記扉体側の面に開口可能な錠受け部材取付空間をそれぞれ有すること、
前記扉体の戸先側端部に戸当たり材取付部と、その戸当たり材取付部を貫通して前記扉体の戸先面から突出するラッチを有する錠箱を収容する錠箱収容部とを設けたこと、
を特徴とする片開き門扉。
【請求項５】
戸当たりアタッチメントの錠受け部材取付部は、錠受け部材を高さ調整自在に取付けるための上下方向に連続する溝を有することを特徴とする請求項４に記載の片開き門扉。
【請求項６】
戸当たりアタッチメントの敷地内側面と戸当たり材により閉鎖位置に維持されている扉体の敷地内側面とが共通の垂直面において連続するように、戸当たりアタッチメントの厚さが設定されていることを特徴とする請求項１〜５に記載の片開き門扉。
【請求項７】
戸当たりアタッチメントの扉体から遠い側の面が戸当たり支柱の吊り元支柱と反対側の面に連続していることを特徴とする請求項１〜６のいずれか１項に記載の片開き門扉。
【請求項８】
吊り元支柱のヒンジが取付けられた敷地内側面に、戸当たりアタッチメントの外観と近似の外観を有するヒンジカバーを取付けて、前記ヒンジを隠蔽したことを特徴とする請求項１〜７のいずれか１項に記載の片開き門扉。
【発明の詳細な説明】
【技術分野】
【０００１】
本発明は、片開き門扉に関する。
【背景技術】
【０００２】
片開き門扉は、一方の支柱（吊り元支柱）に扉体の一端側を回動自在に支持し、他方の支柱（戸当たり支柱）に扉体の他端側を当接して支柱間の通路を閉鎖するとともに施錠し、操作ノブ又はハンドルを回して解錠して扉体を開けるように構成されている。
【０００３】
上記構成の片開き門扉においては、吊り元支柱に扉体を回動自在に支持するヒンジを取付けることが必要であり、戸当たり支柱に戸当たり材と錠受け部材を取付ける必要がある。ヒンジは、支柱に取付けられるヒジツボと、扉体に取けられる肘金とからなる。
【０００４】
従来の片開き門扉では、扉体を、その敷地内側面（裏面）と吊り元支柱の裏面と戸当たり支柱の裏面の一方又は双方と面一になるように取り付けていた。従って、ヒジツボのアーム部の長さは、外開き門扉の場合は長く、内開き門扉の場合は短いことが必要であるので、外開き門扉用ヒンジと内開き門扉用ヒンジとを別々に製造し、使用する必要があった。
【０００５】
そして、従来の片開き門扉では、ヒンジを支柱に対して取り付ける取付台座とヒジツボのアーム部が支柱の背面に突出して取り付けられ、突出する状態に放置されていた。従って、左右の支柱（戸当たり支柱と吊り元支柱）が異なる外観を呈した。
【０００６】
門扉には、扉体操作の左右勝手と扉体の開放方向の組合せにより、左勝手内開き、左勝手外開き、右勝手内開き、右勝手外開きの４種類があり、その種類によってヒンジの取付状態と戸当たり材の取付状態が異なる。
【０００７】
また、錠装置には、錠箱が扉体の外側に取付けられる外付けタイプと、扉体の中に取付けられる内蔵タイプとがあり、錠受け部材は戸当たり支柱のそれぞれのタイプに対応する位置に取付けられる。
【先行技術文献】
【特許文献】
【０００８】
【特許文献１】特開平２００２−３０９８７５号公報
【特許文献２】特開平２００７−２７０５３３号公報
【発明の概要】
【発明が解決しようとする課題】
【０００９】
従って、従来の片開き門扉においては、扉体操作の左右勝手と扉体の開放方向の組合せが左勝手内開き、左勝手外開き、右勝手内開き、右勝手外開きのいずれであるか、また、取付けられる錠装置の錠箱が、外付けタイプと内蔵タイプのいずれであるかにより、吊り元支柱の断面形状、構造、外観体裁及び戸当たり支柱の断面形状、構造、外観体裁が異なり、区々であり、とくに、吊り元支柱、戸当たり支柱及び扉体の敷地内側面がそれぞれ異なる垂直面上に存在するため、門扉全体の外観が意匠的調和感・統一性に欠ける問題があった。
さらに、扉体操作の左右勝手と扉体の開放方向の組合せが異なり、又は錠装置のタイプが異なると、部材の共通性に乏しいため、部材の製造コストが高く、管理コストも高く付くという問題があった。
【００１０】
本発明は、上記の点に鑑みてなされたものであり、扉体操作の左右勝手と扉体の開放方向の組合せが異なっても、また、錠装置のタイプが異なっても、可及的に部材の共通化を図ることができ、吊り元支柱、戸当たり支柱及び扉体の外観、すなわち門扉全体の外観に調和感を備えることができる片開き門扉を提供することを目的とする。
【課題を解決するための手段】
【００１１】
上記目的を達成するため、本発明は、吊り元支柱に扉体の一端側を回動自在に支持し、扉体の他端側を戸当たり支柱に当接して通路を閉鎖するとともに、扉体の操作ノブ又はハンドルを回して解錠して扉体を開けるように構成されている片開き門扉において、（ａ）戸当たり支柱の敷地内側面に戸当たりアタッチメントを取り付けたこと、（ｂ）その戸当たりアタッチメントは、扉体側の面に戸当たり材取付部を、その戸当たり材取付部の敷地外側部分に外開き門扉用の戸当たり面を、前記戸当たりアタッチメントの戸当たり支柱と反対側に錠受け部材取付部をそれぞれ有すること、（ｃ）前記扉体の戸先側端部に戸当たり材取付部を設けたことを特徴としている（請求項１）。
【００１２】
前記戸当たりアタッチメントの錠受け部材取付部は、錠受け部材を高さ調整自在に取付けるための上下方向に連続する溝を有することを特徴としている（請求項２）。
【００１３】
また、本発明は、吊り元支柱に扉体の一端側を回動自在に支持し、扉体の他端側を戸当たり支柱に当接して通路を閉鎖するとともに、扉体の操作ノブ又はハンドルを回して解錠して扉体を開けるように構成されている片開き門扉において、（ａ）戸当たり支柱の敷地内側面に戸当たりアタッチメントを取り付けたこと、（ｂ’）その戸当たりアタッチメントは、扉体側の面に戸当たり材取付部を、その戸当たり材取付部の敷地外側部分に外開き門扉用の戸当たり面を、前記戸当たりアタッチメントの戸当たり支柱と反対側の面と前記外開き門扉用の戸当たり面との間に前記戸当たり材取付部を貫通して前記扉体側の面に開口可能な錠受け部材取付空間をそれぞれ有すること、（ｃ’）前記扉体の戸先側端部に戸当たり材取付部と、その戸当たり材取付部を貫通して前記扉体の戸先面から突出するラッチ又は閂等を有する錠箱を収容する錠箱収容部とを設けたことを特徴としている（請求項３）。
【００１４】
さらに、本発明は、吊り元支柱に扉体の一端側を回動自在に支持し、扉体の他端側を戸当たり支柱に当接して通路を閉鎖するとともに、扉体の操作ノブ又はハンドルを回して解錠して扉体を開けるように構成されている片開き門扉において、（ａ）戸当たり支柱の敷地内側面に戸当たりアタッチメントを取り付けたこと、（ｂ”）その戸当たりアタッチメントは、扉体側の面に戸当たり材取付部を、その戸当たり材取付部の敷地外側部分に外開き門扉用の戸当たり面を、前記戸当たりアタッチメントの戸当たり支柱と反対側に錠受け部材取付部を、前記戸当たりアタッチメントの戸当たり支柱と反対側の面と前記外開き門扉用の戸当たり面との間に前記戸当たり材取付部を貫通して前記扉体側の面に開口可能な錠受け部材取付空間をそれぞれ有すること、（ｃ’）前記扉体の戸先側端部に前記戸当たり材取付部と同一形状の戸当たり材取付部と、その戸当たり材取付部を貫通して前記扉体の戸先面から突出するラッチ又は閂等を有する錠箱を収容する錠箱収容部とを設けたことを特徴としている（請求項４）。
【００１５】
上記戸当たりアタッチメントの錠受け部材取付部も、錠受け部材を高さ調整自在に取付けるための上下方向に連続する溝を有することを特徴としている（請求項５）。
【００１６】
上記戸当たりアタッチメントの敷地内側面と戸当たり材により閉鎖位置に維持されている扉体の敷地内側面とが共通の垂直面において連続するように、戸当たりアタッチメントの厚さが設定されていることを特徴としている（請求項６）。
【００１７】
上記戸当たりアタッチメントの扉体から遠い側の面は、戸当たり支柱の吊り元支柱と反対側の面に連続していることを特徴としている（請求項７）。
【００１８】
さらに好ましい形態においては、吊り元支柱のヒンジが取付けられた敷地内側面に、戸当たりアタッチメントの外観と近似の外観を有するヒンジカバーを取付けて、前記ヒンジを隠蔽したことを特徴としている（請求項８）。
【発明の効果】
【００１９】
請求項１の発明によれば、戸当たりアタッチメントは、扉体側の面に戸当たり材取付部を有し、その戸当たり材取付部の敷地外側部分に外開き門扉用の戸当たり面を有し、戸当たり支柱と反対側に錠受け部材取付部を有し、扉体の戸先側端部に戸当たり材取付部を設けたので、内開き門扉の場合は戸当たり材を戸当たりアタッチメントの戸当たり材取付部に取り付け、外開きの場合は戸当たり材を扉体の戸当たり材取付部に取付けることにより、同じ支柱、戸当たりアタッチメント及び扉体を用いて外付けタイプの錠装置付きの内開き門扉、外付けタイプの錠装置付きの外開き門扉のいずれをも取付けることができる。内開き門扉とするか外開き門扉とするかは、現場で決めることができる。あるいは現場で一方から他方に変更することができる。そして、戸当たり支柱の敷地内側面に戸当たりアタッチメントを取付けたので、戸当たり支柱と戸当たりアタッチメントの全体で戸当たり支柱としての外観を呈し、内開き門扉と外開き門扉のいずれの場合も同一の外観が得られる。
【００２０】
請求項２及び請求項５の発明によれば、錠受け部材の取付位置を扉体に取付けられる錠箱の高さに応じて任意に調整することができる。
【００２１】
請求項３の発明によれば、同一部材を用いて内蔵タイプの錠装置付きの内開き門扉、内蔵タイプの錠装置付きの外開き門扉のいずれをも取付けることができる。そして、戸当たり支柱の敷地内側面に戸当たりアタッチメントを取付けたので、戸当たり支柱と戸当たりアタッチメントの全体で戸当たり支柱としての外観を呈し、内開き門扉と外開き門扉のいずれの場合も同一の外観が得られる。
【００２２】
請求項４の発明によれば、同一部材を用いて外付けタイプの錠装置付きの内開き門扉、外付けタイプの錠装置付きの外開き門扉のいずれをも取付けることができるとともに、内蔵タイプの錠装置付きの内開き門扉、内蔵タイプの錠装置付きの外開き門扉のいずれをも取付けることができる。そして、戸当たり支柱の敷地内側面に戸当たりアタッチメントを取付けたので、戸当たり支柱と戸当たりアタッチメントの全体で戸当たり支柱としての外観を呈し、内開き門扉と外開き門扉のいずれの場合も同一の外観が得られる。
【００２３】
請求項６の発明によれば、吊り元支柱、戸当たり支柱及び門扉のそれぞれの敷地内側面が共通の垂直面に存在するので、門扉全体に優れた外観美が得られる。
【００２４】
請求項７の発明によれば、戸当たりアタッチメントの扉体から遠い側の面が戸当たり支柱の吊り元支柱と反対側の面に連続しているので、戸当たりアタッチメントが戸当たり支柱と一体的な外観を呈し、意匠性に優れる。
【００２５】
請求項８の発明によれば、吊り元支柱のヒンジが取付けられた敷地内側面に、戸当たりアタッチメントの外観と近似の外観を有するカバーが取付けられて前記ヒンジが隠蔽されるので、戸当たり支柱と扉体と吊り元支柱の敷地内側面が揃い、門扉全体に調和感が得られる。
【図面の簡単な説明】
【００２６】
【図１】本発明に係る片開き門扉の敷地内側から見た正面図である。
【図２】図１のＡ−Ａ線に沿った一部省略断面図である。
【図３】図２の部分拡大図である。
【図４】図１の門扉のノブ付近における横断面図である。
【図５】図４の敷地内側から見た正面図である。
【図６】図４の敷地内側から見た正面図（背面図）である。
【図７】図２の扉体の戸先側の側面図である。
【図８】戸当たりアタッチメントの展開図であり、（ａ）は平面図、（ｂ）は（ａ）の円部の拡大図、（ｃ）は正面図、（ｄ）は右側面図である。
【図９】戸当たりアタッチメントの取付補助材の展開図であり、（ａ）は平面図、（ｂ）は正面図、（ｃ）は右側面図である。
【図１０】同一構成の部材に対して内蔵タイプの錠装置を取り付けた例を示す横断面図である。
【図１１】戸当たりアタッチメントのキャップの展開図であり、（ａ）は平面図、（ｂ）は正面図、（ｃ）は側面図、（ｄ）は戸当たりアタッチメントの上端部に装着した場合の嵌合状態を示す断面図、（ｅ）は戸当たり支柱のキャップと戸当たりアタッチメントのキャップの位置関係を示す平面図である。
【図１２】図２のＢ−Ｂ線に沿った一部省略断面図である。
【図１３】外開き門扉の場合の図４に対応する断面図である。
【図１４】外開き門扉の場合の図２に対応する断面図である。
【発明を実施するための形態】
【００２７】
次に、本発明の実施の形態について図面を参照しながら説明する。
図１において、扉体１は一端部が支柱（吊り元支柱）２にヒンジ３により回動自在に支持され、他端部が閉鎖時に支柱（戸当たり支柱）４に当接した状態で錠装置５により鎖錠される。
【００２８】
図示の例では、図２に示すように、支柱２と支柱４が、１種類の形材をそのいずれにも使用できるように、中空矩形の同一断面形状を有している。
ヒンジ３は、支柱２の敷地内側面に固着された台座３１に水平方向位置調整可能に固定されたヒジツボ３２と、扉体１の戸尻側端部に固着された肘金３３とからなる周知のものであり、肘金３３の端部に設けてある肘ピン３４をヒジツボ３２に挿入して、扉体１をその肘ピン３４を中心として回動自在に支持してある。
【００２９】
支柱４の敷地内側面には、図２に示し、図３に拡大して示すように、戸当たりアタッチメント６が固着されている。戸当たりアタッチメント６は、扉体１の高さとほぼ等しい長さを有する形材で構成されていて、扉体１の戸先側に戸当たり材取付部６１を有すると共に、その戸当たり材取付部６１の敷地外側に戸当たり面６２を有し、また、戸当たりアタッチメント６の支柱４と反対側、すなわち、敷地内側面に錠受け部材取付部６３を有している。戸当たり材取付部６１は、図示の例では、扉体１側に開口するあり溝で構成されている。錠受け部材取付部６３も、図示の例では、あり溝で構成されている。しかし、これらの形状・構造に限定されない。
【００３０】
戸当たり材取付部６１には、戸当たり材７を取り付けることができる。戸当たり材７は、固定部７１と戸当たり部７２とを有して横断面ほぼＴ字形をなし、戸当たりアタッチメント６と同じ長さ又は扉体１の高さとほぼ等しい長さの形材で構成されている。固定部７１の先端部には直角に屈曲された第１の脚７１’が、戸当たり部７２の反対側には直角に屈曲された第２脚７２’が設けてある。
【００３１】
そして、第１の脚７１’を戸当たり材取付部６１のあり溝の底部に当接させるとともに、固定部７１の中間部分を戸当たり材取付部６１の肩に当接させ、また、第２脚７２’を戸当たりアタッチメント６の戸当たり面６２に当接して、戸当たり材７の戸当たり材取付部６１に対する安定性を高め、固定部７１からビス８を戸当たり材取付部６１のあり溝の底部にねじ込むことにより、戸当たり部７２が戸当たり面６２よりも敷地外側おいて吊り元支柱２方向に突出する状態で取り付けることができるように構成されている。
【００３２】
図２及び図３は、扉体１が敷地内方に開けられるタイプ、すなわち、内開き門扉に適用される場合の戸当たり材７の戸当たり材取付部６１に対する取り付け例を示している。
【００３３】
戸当たりアタッチメント６は、これを直接に支柱４にビス等で固着しても良いが、その場合は、ビスなどの固着具が、戸当たりアタッチメント６の外面に露出したり、露出させない場合は、ビス等を貫通する孔が露見したりして、外観を損なうので、図示されている好ましい実施の形態においては、支柱４の敷地内側面に戸当たりアタッチメント取付補助材９をビス等１０で固着し、その戸当たりアタッチメント取付補助材９の外側に戸当たりアタッチメント６を嵌合被覆して固着するようにしてある。
【００３４】
戸当たりアタッチメント取付補助材９は、図９にも示すように、断面ほぼＬ字形の、戸当たりアタッチメント６とほぼ等しい長さの形材で形成され、又は短尺材を複数個離間して用いられ、図３に示すように、Ｌ字の垂直辺９１を支柱４の敷地内側面に当接し、その垂直辺９１に貫通したビス１０を支柱４の内面に固着してある裏板１１にねじ込むことにより、支柱４に固着されている。
【００３５】
そして、戸当たりアタッチメント６を支柱４の敷地内側面に近接し、その戸当たりアタッチメント６の戸当たり材取付部６１と反対側の端部を、戸当たりアタッチメント取付補助材９の垂直辺９１の先端に形成してある折り返し部９２に嵌合すると共に、戸当たりアタッチメント６の戸当たり材取付部６１の内面を戸当たりアタッチメント取付補助材９の水平辺９３の外面に当接させ、その戸当たり材取付部６１の外側から戸当たりアタッチメント取付補助材９にビス１２をねじ込んで、戸当たりアタッチメント６を支柱４に固着してある。
【００３６】
図示の好ましい実施の形態として、戸当たりアタッチメント６の戸当たり材取付部６１と反対側の端部に溝部６４が形成され、その溝６４に戸当たりアタッチメント取付補助材９の折り返し部を包んで隠蔽するすることにより、戸当たりアタッチメント取付補助材９が外部に露見されないようにしてある。
【００３７】
戸当たりアタッチメント６の厚さ、すなわち、戸当たりアタッチメント取付補助材９の支柱４側の面から戸当たりアタッチメント６の敷地内側面までの距離は、扉体１が戸当たり材７の戸当たり部７２に当接したときの門扉、すなわち、閉められた扉体の敷地内側面と戸当たりアタッチメント６の敷地内側面が共通の垂直面に存在するように設計されている。
【００３８】
さらに、戸当たりアタッチメント６の敷地内側面は溝部６４において支柱４の扉体１と反対側の面に滑らかに連続させてあり、これにより戸当たりアタッチメント６は支柱４と一体に形成されているような外観を有している。
【００３９】
戸当たりアタッチメント６のラッチ受け部材取付部６３には、図４−６に示すように、ラッチ受け部材１３が錠受け部材取付部６３を形成するあり溝を利用して取付位置を上下調整可能に取り付けられている。ラッチ受け部材１３には、閉鎖位置に存在する時の扉体１の戸先の敷地内側面に取り付けられているラッチ１４に対向して開口する凹部からなるラッチ受け１５が設けられている。ラッチ１４は、扉体１の戸先の表裏に突設されている操作ハンドル１６を取付けた錠箱１７に設けられ、扉体１の閉鎖時移動方向側にテーパを有し、錠箱１７内に備えてあるばね（不図示）により戸先面に突出するように付勢されているが、操作ハンドル１６を回転してそのラッチ１４を錠箱１７内に引っ込めることができる。ハンドル１６はノブてあっても良い。
【００４０】
戸当たりアタッチメント６のラッチ受け部材取付部６３は、ラッチ受け部材１３が取付位置を上下調整可能に形成されているので、ラッチ受け部材１３を扉体１のラッチ１４の取付高さに合致させることが容易にできる。
【００４１】
ラッチ１４とラッチ受け１５とハンドル１６は錠装置の一部を構成する。錠装置は錠箱１７に設けられた鍵穴（不図示）にキーを挿入して所定方向に回せば、ラッチ１４が戸先面から突出された状態にロック（施錠）されるように構成されている。
【００４２】
図示の好ましい実施の形態においては、図１０に示すように、戸当たりアタッチメント６の敷地内側面と戸当たりアタッチメント取付補助材９の間の空間によりラッチ受け取付部６３’を形成してあり、そのラッチ受け取付部６３’に図４に示されたラッチ受け１５と同一のラッチ受け１５を取付可能とされている。ラッチ受け１５を取り付けた場合は、戸当たりアタッチメント取付補助材９の水平辺９３と戸当たり材取付部６１の底部をラッチ受け１５に対応する位置において開口し、その開口の外側からラッチ１４をラッチ受け１５に入出できるように構成することができる。そして、扉体１の戸先側端部の戸当たり材取付部６１’よりも吊り元側に、例えば、縦框１’の中空部内に錠箱１７をラッチ１４が戸当たり材取付部６１’から突出可能に取り付けることにより、戸当たりアタッチメント６、戸当たり材７、戸当たりアタッチメント取付補助材９を変えずに、内蔵タイプの錠装置を取り付けた片開き門扉とすることができる。
【００４３】
支柱１，４のいずれにも、その上端面にキャップ１８が従来通り装着される。これに対して、本発明に係る門扉においては、戸当たり支柱４の敷地側にほぼ中空形材と同様の、扉体の高さとほぼ同一高さの戸当たりアタッチメント６が添設される。従って、外観向上と負傷予防のため、戸当たりアタッチメント６の上下両端面に、キャップ１９が装着されることが望ましい。
【００４４】
図１１は戸当たりアタッチメント６の上部キャップ１９を示す。上部キャップ１９は、戸当たりアタッチメント６の横断面輪郭形状とほぼ同じ平面形状を有する平板部１９１と、その平板部の周辺下面に突出し、戸当たりアタッチメント６の中空部に押入される固定部１９２とを有する。そして、図１１（ｄ）に示すように、固定部１９２を戸当たりアタッチメント６の中空部に押入して、容易に抜脱されないように装着することができる。
【００４５】
図１１（ｄ）には、支柱用キャップ１８と戸当たりアタッチメント用キャップ１９とが各別に作られ、それぞれ装着されているが、支柱４と戸当たりアタッチメント６の上端部を同じ高さ位置にする場合は、支柱用キャップ１８と戸当たりアタッチメント用キャップ１９とを一体に成形した一つのキャップを用いるようにしても良い。
【００４６】
図２及び図１２に示すように、ヒンジ３の台座３１は吊り元支柱２の敷地内側面に固着され、その敷地内側面よりも突出する。従来は、その突出しているまま無造作に放置されていたが、本発明の好ましい実施の形態においては、支柱４の敷地内側面に扉体１の高さほぼ等しい長さを有する横断面コ字形のヒンジカバー２０を装着して、上下の台座３１を隠蔽している。勿論、上下のヒンジの台座３１から扉体１側に延出するヒジツボ３２の腕部を通すための孔又は切欠（不図示）がヒンジカバー２０に形成されている。
【００４７】
ヒンジカバー２０の厚み、すなわち、支柱２の敷地内側面からヒンジカバー２０の敷地内側面までの距離は、戸当たりアタッチメント６の厚みとほぼ等しくされている。従って、門扉を閉鎖した状態では、図２に示すように、戸当たりアタッチメント６、扉体１及びヒンジカバー２０の敷地内側面が一つの垂直面上に整列する。これは、従来の片開き門扉には見られない調和性に優れた外観体裁を提供する。ヒンジカバー２０の下端部は、扉体１の下端部と等しい位置にあっても良いし、地面と等しい位置にあっても良い。この場合は、ヒンジカバー２０が支柱２と一体の外観を備え、支柱に別物が添設されている印象を与えないので好ましい。
【００４８】
図２及び図１２において、２１は支柱２に固着された目隠し材であり、閉鎖位置に存在する扉体１の吊り元側端部と支柱２の間に生じる隙間が敷地外側から見えないようにしている。
【００４９】
図１３及び図１４は、上述した戸当たり材７を扉体１の戸先側端部に形成した戸当たり材取付部６１’にビス８’により固着して、戸当たり材７の戸当たり部７２が支柱４方向に突出させるとともに、支柱２にヒンジ３を肘ピン３１が扉体１の敷地外側に存在するように取り付けることにより、扉体１を外開き門扉として取り付けた場合の構造を示している。すなわち、内開き門扉の場合との違いは、戸当たり材７の取付対象を扉体１に変え、ヒンジ３の取付方向を変えるのみであり、使用する部材は同一であり、戸当たりアタッチメント６及びカバー２０は、内開き門扉・外開き門扉のいずれの場合も同一である。従って、門扉全体の外観も、目隠し材の有無を除くと、内開き門扉と外開き門扉とで変わることはない。戸当たり材７は、内開き門扉の場合と外開き門扉の場合とで、異なるものを用いても良い。
【産業上の利用可能性】
【００５０】
図示の例は、錠装置がラッチ１４を有するものであるので、ラッチ受け部材１３及びラッチ受け１５を備えたが、錠装置には、上記ラッチ錠のほか、内掛け錠、閂錠、カマ錠などを用いることができる。ラッチ受け部材１３は錠受け部材の一種であり、ラッチ受け１５は錠受け部の一種である。
【符号の説明】
【００５１】
１      扉体
２      支柱（吊り元支柱）
３      ヒンジ
４      支柱（戸当たり支柱）
５      錠装置
６      戸当たりアタッチメント
６１    戸当たり材取付部
６２    戸当たり材
６３    ラッチ受け部材取付部（錠受け部材取付部）
７      戸当たり材
９      戸当たりアタッチメント取付補助材
１３    ラッチ受け部材（錠受け部材）
１４    ラッチ
１５    ラッチ受け（錠受け部）
１６    ノブ
１７    錠箱
２０    ヒンジカバー
【図１】
2010248821.tif 000003
【図２】
2010248821.tif 000004
【図３】
2010248821.tif 000005
【図４】
2010248821.tif 000006
【図５】
2010248821.tif 000007
【図６】
2010248821.tif 000008
【図７】
2010248821.tif 000009
【図８】
2010248821.tif 000010
【図９】
2010248821.tif 000011
【図１０】
2010248821.tif 000012
【図１１】
2010248821.tif 000013
【図１２】
2010248821.tif 000014
【図１３】
2010248821.tif 000015
【図１４】
2010248821.tif 000016